(57)【要約】【課題】  皮膚への接触を容易にし、イオン化した薬剤の皮下への浸透効果を向上させる。【解決手段】  上側カバー２と下側カバー３とで複数のプレート部材４ａ、４ｂを挟み込み、下側カバー３の円弧状の突起部３２内に電源である一次電池５を収納し、一次電池５の−電極５ａを一方のプレート部材４ｂの平板部４３と接触させ、他方のプレート部材４ａの電源組込部４１の平面部４１ｂと一次電池５の＋電極５ｂとの間に抵抗６を介装させ、下側カバー３の突出部３４にプレート部材４ａ、４ｂの孔部４５を係合させるとともに上側カバー２の孔部２４を係合させて、上側カバー２及び下側カバー３に覆われていないプレート部材４ａ、４ｂの平板部４３上に薬剤を塗布し、プレート部材４の平板部４３の貫通孔（長孔部）４２より、平板部４３に設けられた針状部４６を経由して、薬剤を皮下へ浸透させる電気治療用アプリケーター１を提供する。【選択図】図１
2008278911.tif 000002
【特許請求の範囲】
【請求項１】
電源を保持するために設けられた底板部と、該底板部に連続し、突出部が設けられた平板部と、を有する下側カバーと、
前記下側カバーの前記突出部と係合可能に設けられた貫通した孔部を有する平板部と、該平板部と連続し、前記平板部より隆起して、前記下側カバーの前記底板部とで前記電源を保持することが可能な外包部と、を有する上側カバーと、  
前記下側カバーと前記上側カバーとの間に挟み込まれ、前記下側カバーの前記突出部に係合可能に設けられた貫通した孔部を有する支持部と、該支持部と連続し、複数の貫通孔が設けられた平板部と、を有する複数のプレート部材と、
一方の前記プレート部材の前記平板部は、前記電源の一方の電極に接触し、他方の前記プレート部材の前記平板部は、前記電源の他方の電極側を支持するために形成された電源組込部を備え、
前記電源組込部の平面部と、該平面部と対向する前記電源の前記他方の電極との間に介装される抵抗と、を備えることを特徴とする電気治療用アプリケーター。
【請求項２】
前記上側カバーの前記外包部と前記下側カバーの前記底板部との間には、前記電源の側面を保持するために前記上側カバーの前記外包部へ収納可能な円弧状のリング部が設けられていることを特徴とする請求項１に記載の電気治療用アプリケーター。
【請求項３】
前記プレート部材の前記平板部には、複数の針状部が形成されていることを特徴とする請求項１又は２に記載の電気治療用アプリケーター。
【請求項４】
前記プレート部材の前記平板部の複数の前記針状部の前記針状部同士の間隔は一定であることを特徴とする請求項３に記載の電気治療用アプリケーター。
【請求項５】
複数の前記プレート部材を組み合わせ、組み合わせた複数の前記プレート部材の前記支持部から前記プレート部材の外周までの間の中央より前記プレート部材の中心側に向かう前記針状部同士の間隔は、前記中央より、組み合わせた複数の前記プレート部材の外周側に向かう前記針状部同士の間隔より狭いことを特徴とする請求項３に記載の電気治療用アプリケーター。
【請求項６】
前記プレート部材の前記平板部の、表面と裏面とをつなげ、前記プレート部材を貫通した複数の前記貫通孔は、長孔部であることを特徴とする請求項１乃至５のいずれかに記載の電気治療用アプリケーター。
【請求項７】
前記上側カバーと前記下側カバーとで、組み合わされた前記プレート部材を挟み込んだ際に、前記上側カバーと前記下側カバーとで前記プレート部材の前記支持部を挟み込み、前記プレート部材の前記平板部に設けられた前記長孔部は、前記上側カバー及び前記下側カバーに覆われないことを特徴とする請求項１乃至６のいずれかに記載の電気治療用アプリケーター。
【発明の詳細な説明】
【技術分野】
【０００１】
本発明は、人体皮膚に直接貼着することにより、人体への薬剤投与を可能にする電気治療用アプリケーターに関する。
【背景技術】
【０００２】
従来の電気治療器１０１ａの縦断面図を図８に示す。この電気治療器１０１ａは例えばボタン型水銀電池のような、扁平で小型の一次電池１０２ａの一面に端子１０３により、板状を呈する一方の電極（例えば陽極）１０４ａが電気絶縁材の層１０５を介して接続してあり、電池１０２ａの他面には板状を呈する一方の電極（例えば陰極）１０６が、一方の電極１０４ａと並行にして配してあると共にこの電極１０６は電気絶縁材の層１０５の延長縁部で電極１０４ａとは絶縁されている。電極１０４ａの、電気絶縁材の層１０５とは反対側は所要の間隔を介して外包材１０７で覆うと共に外包材１０７の外周縁は電気絶縁材の層１０５の延長縁に並行に延長していて、電気絶縁材の層１０５と外包材１０７間の間隙１０８に流動性で電導性を有する治療用薬剤１０９を充填して間隙１０８の周側開放部分を剥離可能シート１１０で密閉してある。
【０００３】
そして、図９に示すように、この電気治療器１０１ａを皮膚１１１に貼着する際にはシート１１０を剥離し、他方の電極１０６の露出する表面に電導性の液（図示省略）を塗布する。皮膚１１１への電気治療器１０１ａの貼着は、外包材１０７の鍔部１０７ａに感圧接着剤層が形成されている場合はこの接着剤層により接着し、更に電気治療器１０１ａより大面積の絆創膏（図示省略）で押さえておく。このように電気治療器１０１ａを生体の皮膚（患部治療点）に取り付けると、一次電池の電気は両方の電極１０４ａ、１０６に流れるがその際患部治療点における皮下の電気回路１１２が形成され、その際間隙１０８に充填された治療用薬剤１０９がイオン化した電気回路の電流によって皮下に浸透し吸収される（特許文献１）
【０００４】
【特許文献１】特公平３−６９５４５（第２頁第４欄から第３頁第５欄  第１図、第２図）
【発明の開示】
【発明が解決しようとする課題】
【０００５】
しかしながら、特許文献１に示す電気治療器１０１ａでは、一次電池１０２と電極１０４ａ、１０６とが直接接続され、電極１０６を直接皮膚に接触させているため、電極１０６に直接接触している皮膚が火傷等を起こす可能性があり、そのことが特許文献１においても指摘されている。そして、特許文献１の第４頁では、治療用薬剤１０９の充填部を、電気治療器１０１ａの外周部分に設けてあるので火傷等の発生を早期に発見し易いということも記載されているが、この電気治療器１０１ａは安全性の確保という面からは充分とはいえない。
【０００６】
また、皮膚と接触する電極１０６は、板状を呈しているが、板厚が厚いため皮膚と接触する際に、電極１０６が皮膚に充分に順応することが難しく、電極１０６と皮膚が接触しない部分も生じ易くなる。そうなると、イオン化した治療用薬剤１０９を電流により皮下に浸透させることが困難となり、電気治療器１０１ａが充分に機能することが難しくなる。
【０００７】
さらに、電気治療器１０１ａでは、電極１０４ａ、１０６間に形成された電気回路により、電極１０４ａ、１０６の周囲の治療用薬剤１０９がイオン化して、その電気回路でイオン化した治療用薬剤１０９を皮下に浸透させている。従って、電極１０４ａ、１０６の周囲にある治療用薬剤１０９がイオン化されているので、電気治療器１０１ａの多量の治療用薬剤が充填されていても一時に少量しかイオン化することができず、一時に多量の治療用薬剤１０９のイオン化が難しい。
【０００８】
本発明は、上記の事情に鑑みなされたものであり、電極に接触する皮膚の火傷等の発生を抑え、薬剤の皮下の浸透効果を向上させたり、低下させたりすることを可能にし、皮膚に接触する電極を皮膚に密着し易くするとともに、多量の薬剤を一時にイオン化することが可能な電気治療用アプリケーターを提供することを目的とする。
【課題を解決するための手段】
【０００９】
上記の目的を達成するために、請求項１に記載の発明は、電源を保持するために設けられた底板部と、該底板部に連続し、突出部が設けられた平板部と、を有する下側カバーと、前記下側カバーの前記突出部と係合可能に設けられた貫通した孔部を有する平板部と、該平板部と連続し、前記平板部より隆起して、前記下側カバーの前記底板部とで前記電源を保持することが可能な外包部と、を有する上側カバーと、前記下側カバーと前記上側カバーとの間に挟み込まれ、前記下側カバーの前記突出部に係合可能に設けられた貫通した孔部を有する支持部と、該支持部と連続し、複数の貫通孔が設けられた平板部と、を有する複数のプレート部材と、一方の前記プレート部材の前記平板部は、前記電源の一方の電極に接触し、他方の前記プレート部材の前記平板部は、前記電源の他方の電極側を支持するために形成された電源組込部を備え、前記電源組込部の平面部と、該平面部と対向する前記電源の前記他方の電極との間に介装される抵抗と、を備えることを特徴とする。
【００１０】
従って、請求項１に記載の発明によれば、下側カバーに一方のプレート部材を組み込み、下側カバーの円弧状の突起部内に電源である一次電池を収納し、一次電池のマイナスの電極を一方のプレート部材の平板部と接触させ、他方のプレート部材の電源組込部の平面部と一次電池のプラスの電極との間に抵抗を介装させ、組み合わされた複数のプレート部材を挟み込むために上側カバーを下側カバーへ被し、下側カバーの突出部にプレート部材の孔部を係合させるとともに上側カバーの孔部を係合させることで、プレート部材上の薬剤をプレート部材の平板部の貫通孔より、皮下へ浸透させることが可能になるとともに、一次電池と電極との間の抵抗により皮膚の火傷等を抑え易くすることを可能にする。
【００１１】
また、請求項２に記載の発明は、請求項１に記載の構成に加え、前記上側カバーの前記外包部と前記下側カバーの前記底板部との間には、前記電源の側面を保持するために前記上側カバーの前記外包部へ収納可能な円弧状のリング部が設けられていることを特徴とする。
【００１２】
従って、請求項２に記載の発明によれば、上側カバーの外包部と下側カバーの底板部との間に円弧状のリング部を設けることで、上側カバーと下側カバーとで電源である一次電池を挟み込んだ際に、一次電池の側面から保持することが可能になり、一次電池が上側カバーの外包部と下側カバーの底板部との間で固定することが可能になる。特に、下側カバーの底板部に円弧状のリング部を設けることも可能であり、この場合には下側カバーの底板部と円弧状のリング部が一体になり、円弧状のリング部は円弧状の突起部となる。
【００１３】
さらに、請求項３に記載の発明は、請求項１又は２に記載の構成に加え、前記プレート部材の前記平板部には、複数の針状部が形成されていることを特徴とする。
【００１４】
従って、請求項３に記載の発明によれば、下側カバー３が取り付けられる、プレート部材の裏面に複数の針状部を設けることにより、針状部が皮膚に接触し、皮膚への接触面積が小さいため、皮膚へ押圧を加え易くなりイオン化した薬剤の皮下への浸透効果の向上を可能にする。
【００１５】
また、請求項４に記載の発明は、請求項３に記載の構成に加え、前記プレート部材の前記平板部の複数の前記針状部の前記針状部同士の間隔は一定であることを特徴とする。
【００１６】
従って、請求項４に記載の発明によれば、電源組込部の電極（の内径）付近の箇所（プレート部材の中心付近）では、電気力線は皮膚に浸透しないところで浅いループを形成し、電極から離れた箇所（プレート部材の外周付近）では、電気力線は皮膚に直角に近い深いループを形成することが可能になり、イオン化した薬剤の皮下への浸透が可能になる。
【００１７】
さらに、請求項５に記載の発明は、請求項３に記載の構成に加え、複数の前記プレート部材を組み合わせ、組み合わせた複数の前記プレート部材の前記支持部から前記プレート部材の外周までの間の中央より前記プレート部材の中心側に向かう前記針状部同士の間隔は、前記中央より、組み合わせた複数の前記プレート部材の外周側に向かう前記針状部同士の間隔より狭いことを特徴とする。
【００１８】
従って、請求項５に記載の発明によれば、組み合わせた複数のプレート部材の支持部からプレート部材の外周までの間の中央を基準にして、プレート部材の外周側の針状部同士の間隔より、プレート部材の中心側の針状部同士の間隔を狭くすることで、組み合わされたプレート部材の支持部から外周までの電流分布の均一化を図り、イオン化した薬剤の皮下への浸透効果の均一化を図ることが可能になる。
【００１９】
また、請求項６に記載の発明は、請求項１乃至５のいずれかに記載の構成に加え、前記プレート部材の前記平板部の、表面と裏面とをつなげ、前記プレート部材を貫通した複数の前記貫通孔は、長孔部であることを特徴とする。
【００２０】
従って、請求項６に記載の発明によれば、プレート部材の平板部に設けられた貫通孔は長孔部であるため、より多くのイオン化した薬剤を皮下へ浸透させることを可能にするとともに、プレート部材の柔軟性を確保することが可能になり、皮膚の接触に際し、皮膚に順応して接触することを可能にする。ここで、長孔部は、真円ではなく、楕円を含めた、長方形の長手方向の両端に、長方形と連続する円弧が形成された形状である。
【００２１】
さらに、請求項７に記載の発明は、請求項１乃至６のいずれかに記載の構成に加え、前記上側カバーと前記下側カバーとで、組み合わされた前記プレート部材を挟み込んだ際に、前記上側カバーと前記下側カバーとで前記プレート部材の前記支持部を挟み込み、前記プレート部材の前記平板部に設けられた前記長孔部は、前記上側カバー及び前記下側カバーに覆われないことを特徴とする。
【００２２】
従って、請求項７に記載の発明によれば、上側カバーと下側カバーとの間に、電源である一次電池と組み合わされたプレート部材とを挟み込んだ際に、上側カバー及び下側カバーはプレート部材全面を覆うことなく、プレート部材の平板部へは上側カバー及び下側カバーは及ばないため、プレート部材の平板部の長孔部は皮膚と対向することが可能になり、一次電池により電極となったプレート部材によって、プレート部材上の薬剤をイオン化し、イオン化した薬剤を長孔部を通じて皮下へ浸透させることが可能になる。
【発明の効果】
【００２３】
本発明によれば、電源である一次電池と電極との間に抵抗が設けられているため、電極と接触する皮膚が火傷等を起こし難い。また、抵抗を替えて、抵抗値を小さくしてイオン化した薬剤の皮下への浸透効果を向上させたり、抵抗値を大きくしてイオン化した薬剤の皮下への浸透効果を低下させたりすることができる。また、電極であるプレート部材は薄板加工が施してあるため、平坦ではない人体の部位に接触させても、プレート部材と皮膚とが隙間を形成することなく密着することができる。さらに、電極であるプレート部材に多数の長孔部が設けられているため、長孔部を通じてイオン化した多量の薬剤を皮下へ浸透させることができる。
【発明を実施するための最良の形態】
【００２４】
以下、本発明を実施するための最良の形態について図面を参照して説明する。
【００２５】
図１には、本発明である電気治療用アプリケーター１が示してある。本発明である電気治療用アプリケーター１は、プレート部材４を上側カバー２と下側カバー３とで挟み込むように構成されている。下側カバー３は、図２に示すように、平板状の形状をなしており、具体的には、図２（ｂ）に示すように、下側カバー３の中央には、電源を保持するために設けられた底板部３１が設けられており、この底板部３１は略円形形状をなしている。そして、下側カバー３の底板部３１には、図３（ｂ）に示すように、円弧状の突起部３２が設けられている。
【００２６】
この円弧状の突起部３２は、正面から捉えると、図２（ａ）に示すように、略Ｃ字状の形状をなしており、真円から一部切り欠いた形状になっている。この円弧状の突起部３２では、一次電池（ボタン電池）等５の断面矩形形状、正面から捉えると円形形状の電源を保持することが可能になっている。本例では、図２（ｂ）に示すように、円弧状の突起部３２が下側カバー３の底板部３１と一体になっているが、一体となることに限定されず、下側カバー３の底板部３１と円弧状の突起部３２を別体とし、円弧状の突起部３２を円弧状のリング部３２として、下側カバー３の底板部３１に円弧状のリング部３２を載せる構成であってもよい。
【００２７】
また、以上のように、下側カバー３の、電源である一次電池（ボタン電池）等５を保持するために設けられた底板部３１からは、図２（ａ）に示すように、底板部３１と連続して平板部３３、３３が伸びている。本例では、平板部３３、３３同士が一直線となるように伸びている（平板部３３、３３同士が対向するように伸びている）。ただし、平板部３３、３３同士は必ずしも対向するように伸びる必要はない。そして、平板部３３には、突出部３４が複数設けられている。本例では、突出部３４が一方の平板部３３の二箇所に、他方の平板部３３の二箇所の計四箇所に設けられているが、突出部３４は、特に四箇所に限定されるものではない。
【００２８】
そして、下側カバー３と重なる上側カバー２は、図３に示すように、外包部２１と平板部２３とから構成されている。上側カバー２の中央には外包部２１が設けられており、外包部２１は、図３に示すように、上側カバー２の中央に位置しており、平板部２３から隆起している。そして、上側カバー２の外包部２１は、上側カバー２と下側カバー３とを重なり合わせると下側カバー３の底板部３１と対向する（重なり合う）ことになる。外包部２１の内部は、中空部２２が形成されている。中空部２２は、図３（ｂ）に示すように、断面矩形形状をなしており、正面から捉えると、円形形状をなしており、電源５である一次電池（ボタン電池）等５の断面矩形形状、正面から捉えると円形形状の電源を内蔵することが可能になっている。そして、外包部２１は、下側カバー３の底面部３１とにより、電源５である一次電池（ボタン電池）等５を保持することが可能になっている。
【００２９】
また、平板部２３は、図３に示すように、外包部２１を挟んで外包部２１に連続しており、本例では、外包部２１から連続して伸びている平板部２３、２３が対向して設けられている。ただし、特に、外包部２１から連続して伸びている平板部２３、２３同士が対向することに限定されないが、重なり合う下側カバー３の平板部３３、３３と重なり合う必要はある。平板部２３には、図３（ａ）に示すように、下側カバー３と重なり合わせた際に、下側カバー３の突出部３２と係合可能なように平板部２３、２３を貫通した孔部２４が複数設けられている。
【００３０】
具体的には、下側カバー３へ上側カバー２を重なり合わせたときに、下側カバー３の突出部３４へ上側カバー２の孔部２４が係合して組み込まれることになる（図１参照）。本例では、下側カバー３の突出部３４と対応するために孔部２４が平板部の四箇所に設けられている。ただし、下側カバー３の突出部３４と対応できれば四箇所に限定されることはない。基本的には、上側カバー２と下側カバー３とが十分に連結することが可能な状態を実現できればよい。
【００３１】
そして、図１に示すように、この上側カバー２と下側カバー３との間に挟み込まれて組み込まれるのがプレート部材４である。本例では、このプレート部材４は、薬品により腐食されて、緑青の発生を防ぐためにステンレス（ＳＵＳ３０４）製としているが、緑青の発生を防げればステンレス製に限定されない。プレート部材４は、図４に示すように、略半円弧状の形状で薄板加工された薄い板状部材であり、人体の平坦ではない箇所に接触させても、その箇所に密着し易くなるように加工されている。具体的なプレート部材４の適切な厚さとしては、０．１ｍｍから０．２ｍｍであり、本例ではプレート部材４の厚さを０．１５ｍｍに設定している（図４（ｂ）参照）。
【００３２】
本発明の電気治療用アプリケーター１では、複数のプレート部材４として、二つの略半円弧状のプレート部材４ａ、４ｂを組み合わせて用いており、二つの略半円弧状のプレート部材４ａ、４ｂは略対称的な形状をなしている。一方のプレート部材４ｂは平板状の形状をなし、連続する、支持部４９と平板部４３とから構成されており、他方のプレート部材４ａも同様に、連続する、支持部４９と平板部４３とから構成されている。本例では、支持部４９と平板部４３は同一の材質であるステンレス（ＳＵＳ３０４）製であるが、特にステンレス（ＳＵＳ３０４）製に限定されない。
【００３３】
そして、この他方のプレート部材４ａの平板部４３には、一方のプレート部材４ｂと組み合わせて略円形となした際に中心となる位置に電源組込部４１が形成されている（図４（ａ）参照）。電源組込部４１は、図１に示すように、立ち上がり部４１ａと平面部４１ｂとから構成されており、平板部４３から垂直方向へ立ち上がり部４１ａが形成され、立ち上がり部４１ａの端部より、平板部４３と平行となる方向へ平面部４１ｂが伸びている。
【００３４】
具体的には、立ち上がり部４１ａは、図１（ｂ）に示すように、プレート部材４の中央付近の平板部４３から、平板部４３に対して垂直に立ち上がっている。平板部４３から立ち上がった立ち上がり部４１ａは、上側カバー２の外包部２１の中空部２２に伸びている。具体的には、中空部２２内の断面方向（矢印Ｂ方向）に沿って、外包部２１の中空部２２に接触する手前まで伸びている。そして、立ち上がり部４１ａから、立ち上がり部４１ａに対して垂直に、平板部４３と平行となるように中空部２２の長手方向（矢印Ｃ方向）に沿って、平面部４１ｂが伸びている。そして、プレート部材４の中央部の形状は、図１に示すように、平板部４３と平面部４１ｂとで電源５となる一次電池（ボタン電池）等５を挟み込むことが可能になっている。
【００３５】
つまり、図１（ｂ）に示すように、一方のプレート部材４ｂの平板部４３と他方のプレート部材４ａの電源組込部４１である立ち上がり部４１ａ、平面部４１ｂとで略コ字状の形状をなし、電源である一次電池（ボタン電池）等５を組み込むことが可能になっている。具体的には、一方のプレート部材４ｂの平板部４３は、一次電池（ボタン電池）等５の一方の電極（−電極５ａ）に接触し、他方のプレート部材４ａの平板部４３は、一次電池（ボタン電池）等５の他方の電極（＋電極５ｂ）側を電源組込部４１で支持することになる。
【００３６】
そして、一次電池（ボタン電池）等５を組み込んだ後に、電源組込部４１の平面部４１ｂと、その平面部４１ｂと対向する一次電池（ボタン電池）等５の他方の電極（＋電極５ｂ）との間に抵抗６が介装されることになる。このように、電源組込部４１の平面部４１ｂと一次電池（ボタン電池）等５の他方の電極（＋電極５ｂ）との間に抵抗６を介装することで、一次電池（ボタン電池）等５と接触する電極化したプレート部材４により皮膚が火傷等をするのを防止するとともに、抵抗値の異なる抵抗６を介装することでイオン化した薬剤の皮下への浸透効果を変えることが可能になる。抵抗６は、図１（ｂ）に示すように、断面長方形形状をなしているが、特にこの形状に限定されることなく、電源組込部４１の平面部４１ｂと一次電池（ボタン電池）等５の他方の電極（＋電極５ｂ）との間に介装されて抵抗として機能が発揮できればよい。
【００３７】
平板部４３と連続する支持部４９には、図４に示すように、プレート部材４が下側カバー３に載置された際に、下側カバー３の平板部３３の突出部３４に係合可能に設けられた、プレート部材４を貫通した孔部４５が設けられている。本例においては、下側カバー３の平板部３３の突出部３４が四つ設けられているため、その突出部３４に対応するように、プレート部材４の支持部４９に四つの孔部４５が設けられている。下側カバー３に対してプレート部材４が位置決めできれば、特に四つに限定されることがない。
【００３８】
また、プレート部材４の平板部４３には、図４に示すように、プレート部材４を貫通した孔部である貫通孔４２が複数形成されている。この貫通孔４２は、図４（ｂ）に示すように、一方のプレート部材４ｂの表面４ｂ１と裏面４ｂ２とをつなげている。また、同様に、貫通孔４２は、他方のプレート部材４ａの平板部４３にも設けられており、平板部４３の表面４ａ１と裏面４ａ２とをつなげている。本例では、貫通孔４２は長孔部４２として設けられており、長孔部４２は大小様々な形状で設けられているが、同一形状の長孔部４２として設けることも可能である。本例での長孔部４２は、図１及び図４に示すように、長方形の長手方向の両端に、長方形と連続する円弧が形成された形状である。また、長孔部４２は、楕円形状であってもよい。さらに、本例では、長孔部４２として設けられているが、特に長孔部４２という形状に限定されることなく、単に円形形状の孔であってもよい。
【００３９】
また、長孔部４２は、図１（ａ）に示すように、上側カバー２及び下側カバー３に覆われる部分を囲む点線ライン４４で囲まれた部分である支持部４９を除いて複数設けられている。具体的には、点線ライン４４は、組み合わされたプレート部材４ａ、４ｂを上側カバー２と下側カバー３とで挟み込んだ際に、上側カバーの外周２５と下側カバーの外周３５とを囲むように設けられている。つまり、上側カバー２と下側カバー３とで、組み合わされたプレート部材４ａ、４ｂを挟み込んだ際に、プレート部材４の平板部４３に設けられた長孔部４２は、上側カバー２及び下側カバー３に覆われない。
【００４０】
そして、この長孔部４２は、薬剤投入孔となるため、薬剤が通過することが可能であれば、長孔部４２の形状に限定されることはない。ただし、長孔部４２の形状を採ることにより、円形形状等の他の形状に比べ孔部の面積が大きくなるため、薬剤の通過量を増すことが可能になる。また、プレート部材４が人体の平坦ではない箇所（皮膚）に接触させた場合でも、プレート部材４に設けられた貫通孔４２が長孔部４２の形状ゆえに、プレート部材４が柔軟性を持つことが可能になる。つまり、プレート部材４の平板部４３から多数の長孔部４２が穿孔されているため、プレート部材４の平板部４３が変形し易くなり、人体の平坦でない箇所（皮膚）にプレート部材４の平板部４３を接触させると、プレート部材４の平板部４３が人体の平坦でない箇所（皮膚）ぴったりと接触することができ、皮膚にぴったりと接触した状態で電極としての機能を発揮することが可能になる。
【００４１】
また、下側カバー３と対向する、プレート部材４の平板部４３の点線ライン４４と外周４７とで囲まれた領域には（プレート部材４ａ、４ｂの裏面４ａ２、４ｂ２側には）、図４（ｂ）に示すように、複数の針状部４６が形成されている。本例で用いている針状部４６は、図６に示すように、略円錐状の形状をなし全て同一形状で形成されている。針状部４６の具体的な形状としては、図６（ｂ）に示すように、底面の外径が約０．２ｍｍであり、傾斜角度が約４５°となっている。ただし、このような略円錐状の形状に限定されることなく、先端が尖る形状であればよい。このように複数の針状部４６を設けることで、プレート部材４を長孔部４２により人体の平坦でない箇所（皮膚）にぴったりと接触させることが出来る上に皮膚により密着する効果が可能になる。
【００４２】
本例では、プレート部材４の平板部４３の複数の針状部４６の針状部４６同士の間隔を一定にしており、具体的な針状部４６同士の間隔を、図４（ｂ）に示すように、０．３ｍｍとして一定の間隔にしている。この状態で、電源組込部４１に一次電池（ボタン電池）等５が組み込まれたときに、電源組込部４１の電極（の内径）付近の箇所（プレート部材４の中心側）では、電気力線は皮膚に浸透し難い浅いループを形成し、電極から離れた箇所（プレート部材４の外周側）では、電気力線は皮膚に直角に近い深いループを形成する効果がある（イオナイズ効果）。つまり、プレート部材４の中心側（中心付近）とプレート部材４の外周側（外周付近）とでは電流分布が違うことになり、外周付近ほど効果が高いことになる。
【００４３】
但し、プレート部材４の中心側（中心付近）とプレート部材４の外周側（外周付近）との電流分布を均一にすることも可能である。この場合、一次電池（ボタン電池）等５が組み込まれる電源組込部４１から離れた箇所（プレート部材４の外周側）では、針状部４６同士の間隔を広くし、電源組込部４１に近い箇所（プレート部材４の中心付近）では、一次電池（ボタン電池）等５が組み込まれる電源組込部４１の電極から離れた箇所（プレート部材４の外周付近）に比べ、針状部４６同士の間隔を狭くし、針状部４６の数も増やすという構成をとることで電流分布を均一にすることも可能である。
【００４４】
具体的には、図６（ａ）に示すように、プレート部材４の平板部４３の点線ライン４４と外周４７とで囲まれた領域の中央（中央ライン４８）から電源組込部４１の方向である中心側に向かっては針状部４６は０．３ｍｍ間隔で設けられており、中央（中央ライン４８）から外周４７の方向である外周側へ向かっては針状部４６は０．９ｍｍ間隔で設けられている。そのため、図７に示すように、プレート部材４の平板部４３の中心側では針状部４６の密度が高くなり、外周側では針状部４６の密度が低くなっている。
【００４５】
このような構成を採ることにより、電源組込部４１に一次電池（ボタン電池）等５が組み込まれたときに、電源組込部４１の電極（の内径）付近の箇所（プレート部材４の中心側）では、電気力線は皮膚に浸透しないところで浅いループを形成するが、針状部４６の密度が高いため、多くの電気力線が発生する。また、電極から離れた箇所（プレート部材４の外周側）では、針状部４６の密度が低いため、プレート部材４の中心側に比べ電気力線は減少する。その結果、プレート部材４の中心側では多数の浅いループを形成し、プレート部材４の外周側では、中心側に比べ少数の深いループを形成する。このように、針状部４６同士の間隔を調整することで電流分布のアンバランスをなくすことが可能になり、プレート部材４より生じる電流分布を均一にしてイオン化された薬剤を皮下に均一に浸透させることが可能になる。
【００４６】
なお、本例では、図７に示すように、他方のプレート部材４ａの平面部４１ｂの抵抗６と接触する側にも複数の針状部４６が設けられている。平面部４１ｂに設けられた複数の針状部４６は、プレート部材４の平板部４３の点線ライン４４と外周４７とで囲まれた領域の中央（中央ライン４８）から電源組込部４１の方向である中心側に向かって設けられた針状部４６同士の間隔と同様に針状部４６同士が０．３ｍｍ間隔となっている。また、本例では、図７に示すように、平面部４１ｂ全面に針状部４６を設けることなく、針状部４６の加工性を考慮して、平面部４６上に部分的に設けている。このようにプレート部材４ａの平面部４１ｂの抵抗６と接触する側に複数の針状部６を設けることで、平面部４１ｂが平板であるより、抵抗６との接触性（密着性）を向上させることが可能になる。
【００４７】
つぎに、電気治療用アプリケーター１の組立及び使用方法について説明する。
【００４８】
下側カバー３上に二つの略円弧状のプレート部材４ａ、４ｂを載置する。その際、プレート部材４ａ、４ｂの裏面４ａ２、４ｂ２側が下側カバー３の平板部３３に向けて、プレート部材４ａの電源組込部４１付近の中心孔部４１ｃが下側カバー３の底板部３１の円弧状の突起部３２を囲むように載置する。そのように載置することで、下側カバー３の平板部３３、３３の複数の突出部３４がプレート部材４ａ、４ｂの平板部４３の複数の孔部４５に係合（嵌合）する。つぎに、プレート部材４ａの電源組込部４１に電源であるボタン電池５を組み込む。
【００４９】
組み込みに際しては、ボタン電池５の−電極５ａを下側カバー３側に向けて、下側カバー３の円弧状の突起部３２内に組み込み、円弧状の突起部３２がボタン電池５の側面を保持し、プレート部材４ｂの平板部４３とプレート部材４ａの平面部４１ｂとでボタン電池５を挟み込み、ボタン電池５の−電極５ａをプレート部材４ｂの支持部４９に当接させる。ボタン電池５の＋電極５ｂと、ボタン電池５の＋電極５ｂが対向するプレート部材４ａの平面部４１ｂとの間には、数ｋΩの抵抗、本例では５ｋΩの抵抗６が挟み込まれる（介装される）。平面部４１ｂには複数の針状部４６が設けられているため平面部４１ｂと接触する抵抗６との密着性が確保される。そして、プレート部材４上に上側カバー２が載置される。
【００５０】
その際、上側カバー２の外包部２１の中空部２２が下側カバー３の円弧状の突起部３２を覆い、プレート部材４の電源組込部４１及びボタン電池５を包み込む。そして、プレート部材４の平板部４３の孔部４５と係合（嵌合）した下側カバー３の平板部３３の突出部３４と上側カバー２の平板部２３の孔部２４とを係合（嵌合）する。この係合（嵌合）により、図１に示すように、上側カバー２と下側カバー３との間に組み合わされたプレート部材４ａ、４ｂを挟み込む。
【００５１】
このとき、上側カバー２と下側カバー３とでプレート部材４ａ、４ｂの支持部４９を挟み込む。その際、プレート部材４ｂの支持部４９とプレート部材４ａの平面部４１ｂとの間に抵抗６を介してボタン電池５を挟み込む。そして、図１に示すように、プレート部材４ａ、４ｂの平板部４３に設けられた長孔部４２は、上側カバー２及び下側カバー３に覆われない。以上のようにして電気治療用アプリケーター１が完成する。
【００５２】
ここでは、下側カバー３の底板部３１と円弧状の突起部３２と一体となっている場合について説明しているが、下側カバー３の底板部３１と円弧状の突起部３２とが別体である構成を採ることも可能である。その場合には円弧状の突起部３２は円弧状のリング部３２となる。つまり、上側カバー２の外包部２１と下側カバー３の底板部３１との間には、電源５であるボタン電池５の側面を保持するために上側カバー２の外包部２１の中空部２２へ収納可能な円弧状のリング部３２が設けられることになる。
【００５３】
この電気治療用アプリケーター１の使用に際しては、まず、上側カバー２及び下側カバー３からはみ出ているプレート部材４の平板部４３へ薬剤を塗布し、人体の患部、例えば、肩（の皮膚）へ電気治療用アプリケーター１を接触させる。このとき、電気治療用アプリケーター１の下側カバー３側が肩（の皮膚）と接触する。そして、電気治療用アプリケーター１全体を覆うことができるテープ、例えば絆創膏７により電気治療用アプリケーター１を肩（の皮膚）へ固定する（図５参照）。
【００５４】
電気治療用アプリケーター１にはボタン電池５が組み込まれていることから、プレート部材４ａ、４ｂの平板部４３が＋電極５ｂ、−電極５ａになり、それぞれのプレート部材４ａ、４ｂの平板部４３の複数の針状部４６が＋電極５ｂ、−電極５ａになり、複数の針状部４６が直接肩の皮膚に微弱電圧を印加し、皮膚に微弱電流が流れ電気力線が発生する（電流分布が発生する）。その電流分布によりプレート部材４の表面４ａ側の薬剤はイオン化して針状部４６と隣接している長孔部（薬剤投入孔）４２を経由してプレート部材４の裏面４ｂ側へ移動する。そして、プレート部材４の裏面４ｂ側へ移動したイオン化した薬剤は、針状部４６に沿って移動し、針状部４６の先端が接触している皮膚に到達し、針状部４６に流れる微弱電流によりイオン化した薬剤は微弱電流による電気力線により、皮下へ浸透する。
【図面の簡単な説明】
【００５５】
【図１】本発明である電気治療用アプリケーターの説明図である。（ａ）は、電気治療用アプリケーターの正面図である。（ｂ）は、（ａ）のＸ−Ｘ線に沿う概略断面図である。
【図２】本発明である電気治療用アプリケーターの下側カバーの説明図である。（ａ）は、下側カバーの正面図である。（ｂ）は、（ａ）のＺ−Ｚ線に沿う断面図である。
【図３】本発明である電気治療用アプリケーターの上側カバーの説明図である。（ａ）は、上側カバーの正面図である。（ｂ）は、（ａ）のＹ−Ｙ線に沿う断面図である。
【図４】本発明である電気治療用アプリケーターのプレート部材の説明図である。（ａ）は、プレート部材の正面図である。（ｂ）は、（ａ）のＡ−Ａ線に沿う拡大断面図である。
【図５】本発明である電気治療用アプリケーターの使用状況を示す説明図である。
【図６】プレート部材の裏面に設けられた針状部の状態を示す説明図である。（ａ）は、プレート部材の中央を基準にプレート部材の中心側とプレート部材の外周側との針状部の状態を示す説明図である。（ｂ）は、針状部の概略形状を示す説明図である。
【図７】プレート部材の裏面に設けられた針状部の概略を示す説明図である。
【図８】従来の電気治療器の縦断面方向から示す説明図である。
【図９】従来の電気治療器の使用態様における縦断面方向から示す説明図である。
【符号の説明】
【００５６】
１…電気治療用アプリケーター
２…上側カバー、２１…外包部、２２…中空部、２３…平板部、２４…孔部
３…下側カバー、３１…底板部、３２…円弧状のリング部、円弧状の突起部、３３…平板部、３４…隆起部
４…プレート部材、４ａ…一方のプレート部材、４ｂ…他方のプレート部材、４ａ１、４ｂ１…プレート部材の表面、４ａ２、４ｂ２…プレート部材の裏面、４１…電源組込部、４１ａ…立ち上がり部、４１ｂ…平面部、４１ｃ…中心孔部、４２…貫通孔（長孔部）、４３…平板部、４４…点線ライン、４５…孔部、４６…針状部、４７…外周、４８…中央ライン（中央）、４９…支持部
５…ボタン電池、５ａ…−電極、５ｂ…＋電極
６…抵抗
【図１】
2008278911.tif 000003
【図２】
2008278911.tif 000004
【図３】
2008278911.tif 000005
【図４】
2008278911.tif 000006
【図５】
2008278911.tif 000007
【図６】
2008278911.tif 000008
【図７】
2008278911.tif 000009
【図８】
2008278911.tif 000010
【図９】
2008278911.tif 000011